(57)【要約】【課題】スリット状開口と遮光層との位置ずれ等が生じてもホワイトバランスが変動し難いＦＦＳモードの液晶表示パネルを提供すること。【解決手段】互いに絶縁された状態で交差するように形成された複数の走査線１７と信号線２０と、複数のスリット状開口２７を有する上電極２６と、上電極２６と絶縁層を挟んで第１基板１６側に形成された下電極とを備え、上電極２６と、１画素１１Ａはそれぞれ異なる色のカラーフィルター層を有する複数のサブ画素１２ＲＡ、１２ＧＡ、１２ＢＡで構成されるＦＦＳモードの液晶表示パネル１０Ａであって、サブ画素１２ＧＡのスリット状開口２７Ａの長手方向の長さを他の色のサブ画素１２ＲＡ、１２ＢＡのものよりも短くする。【選択図】  図１
2010217821.tif 000002
【特許請求の範囲】
【請求項１】
液晶層を挟持して対向配置された第１基板及び第２基板を有し、
前記第１基板には、
互いに絶縁された状態で交差するように形成された複数の走査線及び信号線と、前記走
査線及び信号線によって区画されたサブ画素毎に形成された複数のスリット状開口を有す
る上電極と、前記上電極と絶縁層を挟んで前記第１基板側に形成された下電極とを備え、
前記第２基板には、
平面視で、前記走査線及び信号線と重畳するように形成された遮光層と、前記走査線及
び信号線によって区画されたサブ画素毎に形成されたカラーフィルター層を備え、
それぞれ異なる色のカラーフィルター層を有する複数のサブ画素で１画素が構成された
液晶表示パネルであって、
少なくとも１色に対応するサブ画素では、スリット状開口の長手方向の長さが他の色に
対応するサブ画素のスリット状開口の長手方向の長さよりも短くされていることを特徴と
する液晶表示パネル。
【請求項２】
前記少なくとも１色に対応するサブ画素では、前記スリット状開口の両端部と前記遮光
層とが、平面視で重畳していないことを特徴とする請求項１に記載の液晶表示パネル。
【請求項３】
前記カラーフィルター層は、赤色、緑色、青色のカラーフィルター層からなり、前記少
なくとも１色に対応するサブ画素は前記緑色のサブ画素であることを特徴とする請求項１
又は２に記載の液晶表示パネル。
【発明の詳細な説明】
【技術分野】
【０００１】
本発明は、ＦＦＳモードの液晶表示パネルに関し、特に、ホワイトバランスの調整のた
めに透過率が他の色のサブ画素の透過率と異なるサブ画素を有するＦＦＳモードの液晶表
示パネルに関する。
【背景技術】
【０００２】
液晶表示パネルはＣＲＴ（陰極線管）と比較して軽量、薄型、低消費電力という特徴が
あるため、表示用として多くの電子機器に使用されている。液晶表示パネルは、所定方向
に整列した液晶分子の向きを電界により変えて、液晶層の光の透過量を変化させて画像を
表示させるものである。これには、外光が液晶層に入射し、反射板で反射されて再び液晶
層を透過して出射される反射型のものと、バックライト装置からの入射光が液晶層を透過
する透過型のものと、その両方の性質を備えた半透過型のものとがある。
【０００３】
また、液晶表示パネルの液晶層に電界を印加する方法として、縦電界方式のものと横電
界方式のものとがある。縦電界方式の液晶表示パネルは、液晶層を挟んで配置される一対
の電極により、概ね縦方向の電界を液晶分子に印加するものである。この縦電界方式の液
晶表示パネルとしては、ＴＮ（Twisted Nematic）モード、ＶＡ（Vertical Alignment）
モード、ＭＶＡ（Multi-domain Vertical Alignment）モード等のものが知られている。
横電界方式の液晶表示パネルは、液晶層を挟んで配置される一対の基板のうちの一方の内
面側に一対の電極が互いに絶縁して設けられており、概ね横方向の電界を液晶分子に対し
て印加するものである。この横電界方式の液晶表示パネルとしては、一対の電極が平面視
で重ならないＩＰＳ（In-Plane Switching）モードのものと、重なるＦＦＳ（Fringe Fie
ld Switching）モードのものとが知られている。横電界方式の液晶表示パネルは広い視野
角を得ることができるという効果があるので、近年、多く用いられるようになってきてい
る。
【０００４】
また、液晶表示装置にはモノクロ表示型のものカラー表示型のものが存在している。カ
ラー表示型の液晶表示装置の１画素（１ピクセル）の色は、例えば、Ｒ（赤）、Ｇ（緑）
、Ｂ（青）の光３原色のカラーフィルターを個別に備えている各サブ画素を透過した光の
混色によって定まる。例えば、８ビットの０階調〜２５５階調に対応した電圧がＲ、Ｇ、
Ｂの各サブ画素に印加されると各サブ画素の輝度は２５６種類となり、それらの各サブ画
素の輝度の組み合わせによって１画素で多くの色を表示することができるようになる。こ
のようなＲ、Ｇ、Ｂの各サブ画素で１画素が形成されている液晶表示パネルでは、Ｒ、Ｇ
、Ｂの全てのサブ画素を点灯させることによって白色表示を得ている。
【０００５】
しかしながら、液晶表示パネル内の各層の形成誤差やプロセス変動などにより、Ｒ、Ｇ
、Ｂの各サブ画素の色度や輝度バランスが崩れ、Ｒ、Ｇ、Ｂの各サブ画素に同一階調の電
圧が印加されても白色にならず、黄色がかる現象が生じる。このような問題点を簡単な構
造で解決する方法として、下記特許文献１に示されているように、遮光層によってＲ、Ｇ
、Ｂの少なくとも１つのサブ画素の開口率を小さく調整する方法が考えられている。
【先行技術文献】
【特許文献】
【０００６】
【特許文献１】特開２００５−  ９９４５５号公報
【特許文献２】特開２００５−  ７０７４７号公報
【発明の概要】
【発明が解決しようとする課題】
【０００７】
上記特許文献１に記載の液晶表示パネルは、縦電界方式のものであって、ＦＦＳモード
の液晶表示パネルのようなスリット状開口を有する上電極を備えていない。一方、ＦＦＳ
モードの液晶表示パネルにおいては、上記特許文献２に開示されているように、スリット
状開口の端部には液晶分子の回転方向が逆になるリバースツイストドメインが存在するた
め、スリット状開口の端部を遮光部材で遮光することが行われている。
【０００８】
しかしながら、スリット状開口の端部においては、駆動時の液晶挙動のバラツキや組立
時の位置ずれ等によって遮光の割合が変化し、輝度が大きく変動してしまうことがある。
例えば、スリット状開口の形成位置のずれ、スイッチング素子としての薄膜トランジスタ
ー（ＴＦＴ：Thin Film Transistor）や走査線や信号線などを覆う遮光層の形成位置のず
れ、スリット状開口が形成されるアレイ基板と遮光層が形成されるカラーフィルター基板
の張り合わせのずれなどにより、スリット状開口と遮光層の相対的な位置ずれが生じる。
【０００９】
また、ＦＦＳモードの液晶表示パネルでは、スリット状開口内及びスリット状開口間の
上電極部分でバックライトからの光が透過するため、スリット状開口は、バックライトか
らの透過率を最大限に高くするために、スリット状開口の端部を遮光層の近傍ないし遮光
層と重畳する位置まで延在して形成されている。そのため、スリット状開口と遮光層の相
対的な位置がずれると、スリット状開口の端部が表示領域内に移動してしまうことがある
。
【００１０】
すなわち、ＦＦＳモードの液晶表示パネルでは、上電極に形成されたスリット状開口を
経て、下電極と上電極との間に形成された電界によって液晶分子が駆動される。そのため
、ＦＦＳモードの液晶表示パネルは、スリット状開口の端部以外は液晶分子の駆動方向一
定方向に定まるために正常な表示ができるが、スリット状開口の端部は液晶分子の駆動方
向が一方向に定まらないために正常な表示ができない。そのため、スリット状開口と遮光
層の相対的な位置ずれが生じてスリット状開口の端部が表示領域内に移動してしまうと、
透過率が大きく低下してしまうため、ホワイトバランスがずれてしまう。
【００１１】
本発明は、上述のようなＦＦＳモードの液晶表示パネルにおける従来技術の問題点を解
決すべくなされたものである。すなわち、本発明は、１画素を形成する複数の色のサブ画
素のうち、少なくとも１つの色のサブ画素の透過率を遮光層によることなく他の色のサブ
画素の透過率よりも小さくすると共に、スリット状開口と遮光層の相対的な位置ずれが生
じても、ホワイトバランスを適正に維持し得るＦＦＳモードの液晶表示パネルを提供する
ことを目的とする。
【課題を解決するための手段】
【００１２】
上記目的を達成するため、本発明の液晶表示パネルは、
液晶層を挟持して対向配置された第１基板及び第２基板を有し、
前記第１基板には、
互いに絶縁された状態で交差するように形成された複数の走査線及び信号線と、前記走
査線及び信号線によって区画されたサブ画素毎に形成された複数のスリット状開口を有す
る上電極と、前記上電極と絶縁層を挟んで前記第１基板側に形成された下電極とを備え、
前記第２基板には、
平面視で、前記走査線及び信号線と重畳するように形成された遮光層と、前記走査線及
び信号線によって区画されたサブ画素毎に形成されたカラーフィルター層を備え、
それぞれ異なる色のカラーフィルター層を有する複数のサブ画素で１画素が構成された
液晶表示パネルであって、
少なくとも１色に対応するサブ画素では、スリット状開口の長手方向の長さが他の色に
対応するサブ画素のスリット状開口の長手方向の長さよりも短くされていることを特徴と
する。
【００１３】
本発明の液晶表示パネルは、互いに絶縁された状態で交差するように形成された複数の
走査線及び信号線と、前記走査線及び信号線によって区画されたサブ画素毎に形成された
複数のスリット状開口を有する上電極と、前記上電極と絶縁層を挟んで前記第１基板側に
形成された下電極とを備えている。そのため、本発明の液晶表示パネルはＦＦＳモードで
作動するものとなる。
【００１４】
そして、本発明の液晶表示パネルにおいては、ホワイトバランス調整のために、少なく
とも１色に対応するサブ画素（以下、このサブ画素を「ホワイトバランス調整用サブ画素
」という。）では、スリット状開口の長手方向の長さが他の色に対応するサブ画素のスリ
ット状開口の長手方向の長さよりも短くされている。ＦＦＳモードの液晶表示パネルにお
いては、スリット状開口内及びスリット状開口間の上電極部分でバックライトからの光が
透過する。ホワイトバランス調整用サブ画素では、スリット状開口の長手方向の長さが他
の色に対応するサブ画素のスリット状開口の長手方向の長さよりも短くされている分だけ
表示に有効に利用できる部分の面積、すなわち光を透過させる領域の面積が減るので、透
過率の低下として表れる。そのため、本発明の液晶表示パネルによれば、特に遮光部材に
よってスリット状開口部の端部側を遮光しなくてもホワイトバランス調整用サブ画素の透
過率を低下させることができる。
【００１５】
また、本発明の液晶表示パネルにおいては、前記少なくとも１色に対応するサブ画素で
は、前記スリット状開口の両端部と前記遮光層とが、平面視で重畳していないことが好ま
しい。
【００１６】
かかる構成を備えていると、ホワイトバランス調整用サブ画素では、スリット状開口の
両端部と遮光層との間には平面視で重畳していない領域が生じる。そのため、本発明の液
晶表示パネルによれば、スリット状開口と遮光層の相対的な位置ずれが生じても、ホワイ
トバランス調整用サブ画素では、スリット状開口の両端部が共に遮光層によって覆われな
いようにすることができるので、透過率が変動し難くなる。
【００１７】
また、前記カラーフィルター層は、赤色、緑色、青色のカラーフィルター層からなり、
前記少なくとも１色に対応するサブ画素は前記緑色のサブ画素であることが好ましい。
【００１８】
緑色は人の視感度が高いので、緑色サブ画素の透過率の変動は特に目立って感じられる
。本発明の液晶表示パネルによれば、緑色のサブ画素をホワイトバランス調整用サブ画素
としたので、スリット状開口と遮光層の相対的な位置ずれが生じても、緑色のサブ画素の
透過率は変動し難いため、ホワイトバランスのずれが目立たなくなる。なお、ホワイトバ
ランスを精密に制御するために、緑色のサブ画素のみでなく、他の色のサブ画素、例えば
青色のサブ画素に対しても適用することができる。
【図面の簡単な説明】
【００１９】
【図１】図１Ａは第１実施形態の液晶表示パネルの１画素分の平面図であり、図１Ｂは図１Ａにおいてスリット状開口と遮光層の相対的な位置ずれが生じた状態を示す平面図である。
【図２】図１のII−II線の断面図である。
【図３】図１のIII−III線の断面図である。
【図４】図４Ａは第１実施形態の変形例の液晶表示パネルの１画素分の平面図であり、図４Ｂは図４Ａにおいてスリット状開口と遮光層の相対的な位置ずれが生じた状態を示す平面図である。
【図５】図５Ａは第２実施形態の液晶表示パネルの１画素分の平面図であり、図５Ｂは図５Ａにおいてスリット状開口と遮光層の相対的な位置ずれが生じた状態を示す平面図である。
【図６】図６Ａは第２実施形態の変形例の液晶表示パネルの１画素分の平面図であり、図６Ｂは図６Ａにおいてスリット状開口と遮光層の相対的な位置ずれが生じた状態を示す平面図である。
【図７】図７Ａは比較例の液晶表示パネルの１画素分の平面図であり、図７Ｂは図７Ａにおいてスリット状開口と遮光層の相対的な位置ずれが生じた状態を示す平面図である。
【発明を実施するための形態】
【００２０】
以下、実施形態及び図面を参照にして本発明を実施するための最良の形態を説明するが
、以下に示す実施形態は本発明をここに記載したものに限定することを意図するものでは
なく、本発明は特許請求の範囲に示した技術思想を逸脱することなく種々の変更を行った
ものにも均しく適用し得るものである。なお、この明細書における説明のために用いられ
た各図面においては、各層や各部材を図面上で認識可能な程度の大きさとするため、各層
や各部材毎に縮尺を異ならせて表示しており、必ずしも実際の寸法に比例して表示されて
いるものではない。
【００２１】
［第１実施形態］
第１実施形態のＦＦＳモードの液晶表示パネル１０Ａ要部の構成を図１〜図３を用いて
説明する。なお、図１Ａは第１実施形態の液晶表示パネルの１画素分の平面図であり、図
１Ｂは図１Ａにおいてスリット状開口と遮光層の相対的な位置ずれが生じた状態を示す平
面図である。図２は、図１のII−II線の断面図である。図３は図１のIII−III線の断面図
である。図１に示すように、液晶表示パネル１０Ａの１画素１１Ａは、光の三原色である
赤色のサブ画素１２ＲＡ、緑色のサブ画素１２ＧＡ及び青色のサブ画素１２ＢＡで構成さ
れており、これら３つのサブ画素の混色によって１画素１１Ａの色が定まる。
【００２２】
図２及び図３に示すように、液晶表示パネル１０Ａの背面側には第１偏光板１３が貼付
され、表示面側には第２偏光板１４が貼付され、第１偏光板１３の背面側には液晶表示パ
ネル１０Ａに光を照射するバックライト装置１５が配設されている。
【００２３】
液晶表示パネル１０Ａは液晶層ＬＣがアレイ基板ＡＲとカラーフィルター基板ＣＦで挟
持される構成となっている。アレイ基板ＡＲは透明な絶縁性を有するガラスや石英、プラ
スチック等からなる第１透明基板１６を基体としている。第１透明基板１６上には、図１
に示すように、液晶層ＬＣに面する側に、アルミニウムやモリブデン等の金属からなる走
査線１７が図１のＸ軸方向（行方向）に延在するように形成されている。走査線１７から
はゲート電極Ｇが各サブ画素１２ＲＡ、１２ＧＡ、１２ＢＡの左下に延在するように形成
されている。
【００２４】
また、走査線１７とゲート電極Ｇを覆うようにして窒化ケイ素や酸化ケイ素等からなる
透明なゲート絶縁膜１８が積層されている。そして、平面視でゲート電極Ｇと重なるゲー
ト絶縁膜１８上には非晶質シリコンや多結晶シリコンなどからなる半導体層１９が形成さ
れている。ゲート絶縁膜１８上にはアルミニウムやモリブデン等の金属からなる複数の信
号線２０が、各サブ画素１２ＲＡ、１２ＧＡ、１２ＢＡの左側に図１のＹ軸方向（列方向
）に延在するように形成されている。この信号線２０からはソース電極Ｓが延在され、こ
のソース電極Ｓは半導体層１９の表面と部分的に接触している。
【００２５】
更に、信号線２０及びソース電極Ｓと同一の材料で同時に形成されたドレイン電極Ｄが
ゲート絶縁膜１８上に設けられており、このドレイン電極Ｄはソース電極Ｓと近接配置さ
れて半導体層１９と部分的に接触している。走査線１７と信号線２０とによって囲まれた
領域が１サブ画素領域に相当する。１画素は略正方形であるので、これを３等分するサブ
画素１２ＲＡ、１２ＧＡ、１２ＢＡは走査線１７側が短辺で信号線２０側が長辺の長方形
となる。ゲート電極Ｇ、ゲート絶縁膜１８、半導体層１９、ソース電極Ｓ、ドレイン電極
Ｄによってスイッチング素子となるＴＦＴが構成され、それぞれのサブ画素１２ＲＡ、１
２ＧＡ、１２ＢＡにこのＴＦＴが形成されている。
【００２６】
更に、信号線２０、ＴＦＴ及びゲート絶縁膜１８の露出部分を覆うようにして例えば窒
化ケイ素や酸化ケイ素等からなる透明なパッシベーション膜２１が積層されている。そし
て、パッシベーション膜２１を覆うようにして、例えばフォトレジスト等の透明樹脂材料
からなる平坦化樹脂膜２２が積層されている。そして、平坦化樹脂膜２２を覆うようにし
てＩＴＯ（Indium Thin Oxide）ないしＩＺＯ（Indium Zinc Oxide）等の透明導電性材料
からなる下電極２３が形成されている。平坦化樹脂膜２２とパッシベーション膜２１を貫
通してドレイン電極Ｄに達するコンタクトホール２４が形成されており、このコンタクト
ホール２４を介して下電極２３とドレイン電極Ｄとが電気的に接続されている。そのため
、ここでは下電極２３は画素電極として作動する。
【００２７】
下電極２３を覆うようにして例えば窒化ケイ素や酸化ケイ素等からなる透明な電極間絶
縁膜２５が積層されている。そして、電極間絶縁膜２５を覆うようにしてＩＴＯないしＩ
ＺＯ等の透明導電性材料からなる上電極２６が形成されている。各サブ画素の上電極２６
は一体に形成されており、共通電極として作動する。図１に示すように、上電極２６には
複数のスリット状開口２７Ａが形成されている。スリット状開口２７Ａは長円形状であり
、その長手方向は走査線１７の延在方向に対して右下がりに例えば５度傾斜している。上
電極２６を覆ってポリイミドからなる配向膜２８が積層されている。配向膜２８には信号
線２０の延在方向と平行に液晶方向配向処理（ラビング処理）が施されている。
【００２８】
カラーフィルター基板ＣＦは透明な絶縁性を有するガラスや石英、プラスチック等から
なる第２透明基板２９を基体としている。第２透明基板２９には、遮光層３０と、サブ画
素毎に異なる色の光（例えば、Ｒ、Ｇ、Ｂ）を透過するカラーフィルター層３１が形成さ
れている。図１に示すように、遮光層３０はアレイ基板ＡＲの不透明な領域、すなわち、
走査線１７、信号線２０、ＴＦＴ、ドレイン電極Ｄと平面視で重なるように形成されてい
る。サブ画素１２ＲＡ、１２ＧＡ、１２ＢＡの遮光層３０が形成されていない領域が表示
領域であり、そこにはカラーフィルター層３１が形成されている。
【００２９】
遮光層３０とカラーフィルター層３１を覆うようにして例えばフォトレジスト等の透明
樹脂材料からなるオーバーコート層３２が積層されている。このオーバーコート層３２は
異なる色のカラーフィルター層３１による段差を平坦にし、また、遮光層３０やカラーフ
ィルター層３１から流出する不純物が液晶層ＬＣに入らないように遮断するために設けら
れているものである。オーバーコート層３２を覆うようにして例えばポリイミドからなる
配向膜３３が形成されている。この配向膜３３には配向膜２８と逆方向の液晶方向配向処
理が施されている。
【００３０】
このようにして形成されたアレイ基板ＡＲ及びカラーフィルター基板ＣＦを互いに対向
させ、両基板の周囲にシール材（図示省略）を設けることにより両基板を貼り合せ、両基
板間に液晶を充填することにより第１実施形態に係る液晶表示パネル１０Ａが得られる。
なお、液晶層ＬＣを所定の厚みに保持するためのスペーサ（図示省略）がカラーフィルタ
ー基板ＣＦに形成されている。
【００３１】
上述の構成により、ＴＦＴがＯＮ状態になって下電極２３と上電極２６間に電圧が印加
されると、両電極２３、２６間に電界が発生して液晶層ＬＣの液晶分子の配向が変化する
。これにより、液晶層ＬＣの光透過率が変化して画像を表示することとなる。下電極２３
と上電極２６と電極間絶縁膜２５により補助容量が形成され、ＴＦＴがＯＦＦになったと
きに両電極２３、２６間の電界を所定時間保持される。
【００３２】
赤色のサブ画素１２ＲＡ、緑色のサブ画素１２ＧＡ及び青色のサブ画素１２ＢＡには、
例えば８ビットの階調（０階調〜２５５階調）に対応した電圧が印加され、それぞれ２５
６種類の濃度で表示することができる。設計上は、全てのサブ画素１２ＲＡ、１２ＧＡ、
１２ＢＡが同時に同一の階調となっていれば、白表示となる。しかしながら、第１実施形
態の液晶表示パネル１０Ａでは、液晶表示パネル１０Ａ内の液晶分子の挙動の差異やプロ
セス変動などにより、Ｒ、Ｇ、Ｂの色度や輝度バランスが崩れて、全てのサブ画素１２Ｒ
Ａ、１２ＧＡ、１２ＢＡに同階調の電圧が印加されても、完全な白色にならずに黄色がか
ることがある。
【００３３】
このために、第１実施形態の液晶表示パネル１０Ａでは、図１に示すように、緑色のサ
ブ画素１２ＧＡは、ホワイトバランス調整用サブ画素とされ、スリット状開口２７Ａの長
手方向の長さＬ２が赤色及び青色のサブ画素１２ＲＡ、１２ＢＡのスリット状開口２７Ａ
の長手方向の長さＬ１よりも短くされている。この場合、遮光層３０は、平面視で信号線
２０と重畳する信号線重畳領域及び走査線１７と重畳する走査線重畳領域とを有し、隣り
合う信号線重畳領域の間の距離Ｗ及び走査線重畳領域の間の距離Ｈが全てのサブ画素にお
いて同一とされている。ＦＦＳモードの液晶表示パネルでは、下電極と上電極との間に形
成された電界によって、スリット状開口２７Ａとスリット状開口２７Ａ間の上電極２６と
の間の液晶分子が駆動される。そのため、第１実施形態のＦＦＳモードの液晶表示パネル
１０Ａにおいては、スリット状開口２７Ａ部分及びスリット状開口２７Ａ間の上電極２６
部分でバックライトからの光が透過する。
【００３４】
図１Ａに示したように、ホワイトバランス調整用サブ画素である緑色のサブ画素１２Ｇ
Ａのスリット状開口２７Ａの長さを短くすると、液晶を駆動する電界の生成領域が狭くな
ることから、透過率が赤色及び青色のサブ画素１２ＲＡ、１２ＢＡよりも低くなる。した
がって、実施形態１の液晶表示パネル１０Ａは、特許文献１に開示されている液晶表示パ
ネルのようにＴＦＴや走査線や信号線などを覆う遮光層によって上電極２６及びスリット
状開口２７Ａを遮光することなく、Ｒ、Ｇ、Ｂのサブ画素の少なくとも１つのサブ画素の
透過率を小さくさせてホワイトバランスの調整を行うことができるようになる。
【００３５】
また、スリット状開口２７Ａを形成するときの露光用マスクの位置ずれ、走査線１７や
信号線２０などを覆う遮光層３０を形成するときの露光用マスクの位置ずれ、スリット状
開口２７Ａが形成されたアレイ基板ＡＲと遮光層３０が形成されたカラーフィルター基板
ＣＦを張り合わせるときのずれなどにより、スリット状開口２７Ａと遮光層３０の相対的
な位置がずれることがある。ＦＦＳモードの液晶表示パネル１０Ａにおいては、図１Ａの
赤色及び青色のサブ画素１２ＲＡ、１２ＢＡ部分のように、透過率を最大限に高くするた
めに、スリット状開口２７Ａは遮光層３０の近傍ないし遮光層３０と重畳する位置まで延
在するように形成されている。
【００３６】
そのため、スリット状開口２７Ａと遮光層３０の相対的な位置がスリット状開口２７Ａ
の長手方向にずれた場合には、スリット状開口２７Ａの一方側の端部が表示領域側に移動
してしまうことがある。この状態を図１Ｂに示す。なお、図１Ｂは図１Ａの状態からカラ
ーフィルター基板ＣＦが右側にずれて赤色及び青色のサブ画素１２ＲＡ、１２ＢＡのスリ
ット状開口２７Ａの一方側の端部が表示領域側に移動してしまった状態を示している。こ
のような状態となると、赤色及び青色のサブ画素１２ＲＡ、１２ＢＡの透過率は低下して
しまう。
【００３７】
しかしながら、緑色のサブ画素１２ＧＡのスリット状開口２７Ａは、長手方向の長さが
短いために、スリット状開口２７Ａと遮光層３０の相対的な位置がスリット状開口２７Ａ
の長手方向にずれても、図１Ｂに示したように、スリット状開口２７Ａの端部が遮光層３
０によって覆われない状態を維持できる。そのため、緑色のサブ画素１２ＧＡでは、スリ
ット状開口２７Ａと遮光層３０の相対的な位置がスリット状開口２７Ａの長手方向にずれ
ても、透過率の減少が起こり難くなる。このことは、人は、赤色及び青色の視感度が緑色
の視感度よりも低いので、上述のような赤色及び青色のサブ画素１２ＲＡ、１２ＢＡの透
過率の低下は目立たず、ホワイトバランスのずれが実質的に感じられないことを意味する
。
【００３８】
［第１実施形態の変形例］
なお、第１実施形態の液晶表示パネル１０Ａとしては、スリット状開口２７Ａの延在方
向をラビング処理の方向に対して１方向のみに傾斜した例を示した。しかしながら、本発
明は、スリット状開口の傾斜を右上がりに傾斜している領域と右下がりに傾斜している領
域を備えた、いわゆるデュアルドメイン型の液晶表示パネル１０Ｂにも適用することがで
きる。この第１実施形態の液晶表示パネル１０Ａの変形例を図４Ａ及び図４Ｂに示す。な
お、図４Ａは１画素分の平面図であり、図４Ｂは図４Ａにおいてスリット状開口と遮光層
の相対的な位置ずれが生じた状態を示す平面図である。
【００３９】
この第１実施形態の変形例の液晶表示パネル１０Ｂが第１実施形態の液晶表示パネル１
０Ａと構成が相違する点は、ホワイトバランス調整用サブ画素のスリット状開口２７Ｂの
形状及び配置のみである。そのため、図４Ａ及び図４Ｂにおいては第１実施形態の液晶表
示パネル１０Ａと同一の構成部分には同一の参照符号を付与してその詳細な説明は省略す
る。このように、デュアルドメイン型の液晶表示パネル１０Ｂにおいても、ホワイトバラ
ンス調整用サブ画素である緑色のサブ画素１２ＧＢのスリット状開口２７Ｂの長手方向の
長さＬ４を、赤色及び青色のサブ画素１２ＲＢ、１２ＢＢのスリット状開口２７Ｂの長手
方向の長さＬ３よりも短くすることにより、第１実施形態の液晶表示パネル１０Ａの場合
と同様の作用効果を奏することができる。
【００４０】
［第２実施形態］
第２実施形態の液晶表示パネル１０Ｃを図５Ａ及び図５Ｂを用いて説明する。なお、図
５Ａは１画素分の平面図であり、図５Ｂは図５Ａにおいてスリット状開口と遮光層の相対
的な位置ずれが生じた状態を示す平面図である。この第２実施形態の液晶表示パネル１０
Ｃが第１実施形態の液晶表示パネル１０Ａと構成が相違する点は、ホワイトバランス調整
用サブ画素のスリット状開口２７Ｃの形状及び配置のみである。そのため、図５Ａ及び図
５Ｂにおいては第１実施形態の液晶表示パネル１０Ａと同一の構成部分には同一の参照符
号を付与してその詳細な説明は省略する。
【００４１】
第２実施形態の液晶表示パネル１０Ｃでは、スリット状開口２７Ｃの延在方向は信号線
２０の延在方向と同じくＹ軸方向（列方向）である。１画素１１Ｃは略正方形であるので
、サブ画素１２ＲＣ、１２ＧＣ、１２ＢＣの形状はで縦長となる。したがって、第２実施
形態の液晶表示パネル１０Ｃは、第１実施形態の液晶表示パネル１０Ａと比較して、スリ
ット状開口２７Ｃの端部の数が少なく、端部におけるリバースツイストドメインが少ない
ので、透過率が高くなるという利点がある。そして、第２実施形態の液晶表示パネル１０
Ｃでは、ホワイトバランス調整用サブ画素である緑色のサブ画素１２ＧＣのスリット状開
口２７Ｃの長手方向の長さは、赤色と青色のサブ画素１２ＲＡ、１２ＢＡのスリット状開
口の長手方向の長さよりもＬ５だけ短くされている。
【００４２】
これにより、第１実施形態の液晶表示パネル１０Ａの場合と同様に、緑色のサブ画素１
２ＧＣでは液晶を駆動する電界の形成領域が小さくなることから、緑色のサブ画素１２Ｇ
Ｃの透過率は赤色及び青色のサブ画素１２ＲＣ、１２ＢＣの透過率よりも低くなる。また
、第２実施形態の液晶表示パネル１０Ｃは、図５Ｂに示すように、スリット状開口２７Ｃ
と遮光層３０の相対的な位置がスリット状開口２７Ｃの長手方向にずれても、緑色のサブ
画素１２ＧＣは、スリット状開口２７Ｃの長手方向の長さが短いために、そのスリット状
開口２７Ｃの端部は遮光層３０で覆われない状態を維持できる。そのため、ホワイトバラ
ンス調整用サブ画素である緑色のサブ画素１２ＧＣでは、スリット状開口２７Ｃと遮光層
３０の相対的な位置がスリット状開口２７Ｃの長手方向にずれても、透過率の減少が起こ
り難くなる。
【００４３】
［第２実施形態の変形例］
なお、第２実施形態の液晶表示パネル１０Ｃとしては、スリット状開口２７Ｃの延在方
向が信号線に沿って延在している例を示した。第２実施形態の変形例の液晶表示パネル１
０Ｄは、第２実施形態の液晶表示パネル１０Ｃをデュアルドメイン型としてものである。
この第２実施形態の液晶表示パネル１０Ｃの変形例を図６Ａ及び図６Ｂに示す。なお、図
６Ａは１画素分の平面図であり、図６Ｂは図６Ａにおいてスリット状開口と遮光層の相対
的な位置ずれが生じた状態を示す平面図である。
【００４４】
ただし、第２実施形態の変形例の液晶表示パネル１０Ｄが第２実施形態の液晶表示パネ
ル１０Ｃと構成が相違する点は、ホワイトバランス調整用サブ画素のスリット状開口２７
Ｄの形状及び配置のみである。そのため、図６Ａ及び図６Ｂにおいては、第２実施形態の
液晶表示パネル１０Ｃと同一の構成部分には同一の参照符号を付与してその詳細な説明は
省略する。
【００４５】
デュアルドメイン型の第２実施形態の変形例の液晶表示パネル１０Ｄにおいては、ホワ
イトバランスを精密に制御するため、緑色のサブ画素１２ＧＤ及び青色のサブ画素１２Ｂ
Ｄがホワイトバランス調整用サブ画素とされている。そして、緑色のサブ画素１２ＧＤの
スリット状開口２７Ｄの長手方向の長さを赤色のサブ画素１２ＲＤのスリット状開口２７
Ｄの長手方向の長さよりもＬ６だけ短く、かつ、青色のサブ画素１２ＢＤのスリット状開
口２７Ｄの長手方向の長さを赤色のサブ画素１２ＲＤのスリット状開口２７Ｄの長手方向
の長さよりもＬ７だけ短くされている。このような構成の液晶表示パネル１０Ｄにおいて
も、第２実施形態の液晶表示パネル１０Ｃと同様ないしそれ以上の効果を奏することがで
きる。なお、特に精密なホワイトバランスが必要ない場合には、青色のサブ画素１２ＢＤ
のスリット状開口２７Ｄの長手方向の長さは、赤色のサブ画素１２ＲＤのスリット状開口
２７Ｄの長手方向の長さと同じにすることもできる。
【００４６】
［比較例］
以下において、本発明の液晶表示パネルの作用効果を確認するため、ＦＦＳモードの液
晶表示パネルに対して上記特許文献１に開示されているホワイトバランス調整法を適用し
た比較例の液晶表示パネル１０Ｅを、図７Ａ及び図７Ｂを用いて説明する。なお、図７Ａ
は１画素分の平面図であり、図７Ｂは図７Ａにおいてスリット状開口と遮光層の相対的な
位置ずれが生じた状態を示す平面図である。ただし、比較例の液晶表示パネル１０Ｅは、
遮光層３０Ｅの構成が相違している以外は実施形態１の液晶表示パネル１０Ａと実質的に
同一の構成を備えているので、図７Ａ及び図７Ｂにおいては、第１実施形態の液晶表示パ
ネル１０Ａと同一の構成部分には同一の参照符号を付与してその詳細な説明は省略する。
【００４７】
図７Ａに示したように、比較例の液晶表示パネル１０Ｅにおいては、スリット状開口２
７Ｅの形状及び配置は、赤色のサブ画素１２ＲＥ、緑色のサブ画素１２ＧＥ及び青色のサ
ブ画素１２ＢＥともに同一である。そして、遮光層３０Ｅは、赤色のサブ画素１２ＲＥ及
び青色のサブ画素１２ＢＥについては第１実施形態の液晶表示パネル１０Ａの場合と同様
な形状及び配置で形成されている。しかしながら、ホワイトバランス調整用サブ画素であ
る緑色のサブ画素１２ＧＥのみ、赤色のサブ画素１２ＲＥ及び青色のサブ画素１２ＢＥよ
りも上電極２６及びスリット状開口２７Ｅを大きく遮光することによって、透過率を低下
させており、これによってホワイトバランスを調整している。
【００４８】
このとき、スリット状開口２７Ｅと遮光層３０Ｅの相対的な位置がスリット状開口２７
Ｅの長手方向にずれて、スリット状開口２７Ｅの一方側の端部が表示領域側に移動してし
まうと、赤色のサブ画素１２ＲＥ、緑色のサブ画素１２ＧＥ及び青色のサブ画素１２ＢＥ
共に透過率が低下する。このとき、赤色のサブ画素１２ＲＥ及び青色のサブ画素１２ＢＥ
は同程度に透過率が低下するが、ホワイトバランス調整用サブ画素である緑色のサブ画素
１２ＧＥでは、元々表示領域の面積が小さくされているため、透過率の低下割合が赤色の
サブ画素１２ＲＥ及び青色のサブ画素１２ＢＥの透過率の低下割合よりも大きくなってし
まう。そのため、比較例の液晶表示パネル１０Ｅでは、スリット状開口２７Ｅと遮光層３
０Ｅの相対的な位置がずれた場合、実施形態１の液晶表示パネル１０Ａよりも大きくホワ
イトバランスがずれてしまうわけである。
【００４９】
以上のように、本発明の液晶表示パネルによれば、スリット状開口と遮光層の相対的な
位置がずれても、上記特許文献１に開示されているようなホワイトバランス調整法を採用
する場合よりもホワイトバランスを均一に維持できることが分かる。なお、上述の各実施
形態及び変形例においては、下電極が画素電極として作動し、上電極が共通電極として作
動する例を示したが、下電極が共通電極として作動し、上電極が画素電極として作動する
ようにしてもよい。また、上述の各実施形態及び変形例においては、下電極が平坦化樹脂
膜２２上に形成されている例を示したが、本発明は、平坦化樹脂膜２２を有せず、下電極
を第１透明基板の表面に形成されている形式のＦＦＳモードの液晶表示パネルに対しても
適用可能である。
【符号の説明】
【００５０】
１０Ａ〜１０Ｅ…液晶表示パネル  １１Ａ〜１１Ｅ…１画素  １２ＢＡ〜１２ＢＥ…青
色のサブ画素  １２ＧＡ〜１２ＧＥ…緑色のサブ画素  １２ＲＡ〜１２ＲＥ…赤色のサブ
画素  １３、１４…偏光板  １５…バックライト装置  １６…第１透明基板  １７…走査
線  １８…ゲート絶縁膜  １９…半導体層  ２０…信号線  ２１…パッシベーション膜  
２２…平坦化樹脂膜  ２３…下電極  ２４…コンタクトホール  ２５…電極間絶縁膜  ２
６…上電極  ２７…カラーフィルター層  ２７Ａ〜２７Ｅ…スリット状開口  ２８…配向
膜  ２９…第２透明基板  ３０、３０Ｅ…遮光層  ３１…カラーフィルター層  ３２…オ
ーバーコート層  ３３…配向膜  ４０…遮光層  ＡＲ…アレイ基板  ＣＦ…カラーフィル
ター基板  ＬＣ…液晶
【図１】
2010217821.tif 000003
【図２】
2010217821.tif 000004
【図３】
2010217821.tif 000005
【図４】
2010217821.tif 000006
【図５】
2010217821.tif 000007
【図６】
2010217821.tif 000008
【図７】
2010217821.tif 000009